(57)【要約】      （修正有）【課題】酸素を用いた治療を行うことができる歯周ポケット洗浄端子及び歯周病治療装置を提供する。また、家庭内でも簡単に酸素を用いた治療を行うことができる歯周ポケット洗浄端子及び歯周病治療装置を提供すること。【解決手段】酸素供給装置１２と、前記酸素供給装置からの酸素を歯周ポケット内に供給するための歯周ポケット洗浄端子１とを備える。前記洗浄端子は、先端に酸素出口を有する２つの突起部８を設けたヘッド部２と、把柄部４と、酸素供給装置へ接続される接続端を有する尾部６と、前記接続端からの酸素を前記２つの突起部の酸素出口へ導くための酸素通路１６とを備える。【選択図】図１
2007319530.tif 000002
【特許請求の範囲】
【請求項１】
酸素供給装置と、前記酸素供給装置からの酸素を歯周ポケット内に供給するための歯周ポケット洗浄端子とを備える歯周病治療装置。
【請求項２】
酸素供給装置からの酸素を歯周ポケット内に供給するための歯周ポケット洗浄端子。
【請求項３】
先端に酸素出口を有する２つの突起部を設けたヘッド部と、
把柄部と、
酸素供給装置へ接続される接続端を有する尾部と、
前記接続端からの酸素を前記２つの突起部の酸素出口へ導くための酸素通路と
を備える、前記酸素供給装置からの酸素を歯周ポケット内に供給するための歯周ポケット洗浄端子。
【請求項４】
前記２つの突起部はフレキシブルな素材から成り、且つ、先細り形状を有する請求項３に記載の歯周ポケット洗浄端子。
【請求項５】
前記２つの突起部間の距離は大臼歯近遠心的幅径に対応する請求項３又は４に記載の歯周ポケット洗浄端子。
【請求項６】
内部が中空形状を成す円錐形の歯周ポケット洗浄端子であって、
先端部に開口部、末端部に酸素供給装置の酸素供給口の凸部と係合して該酸素供給口へ脱離不能に連結可能なアンダーカット部を備える、前記酸素供給装置からの酸素を歯周ポケット内に供給するための歯周ポケット洗浄端子。
【請求項７】
前記歯周ポケット洗浄端子は先端部が細く形成され、該先端部を歯周ポケット内に挿入可能とされている、請求項６に記載の歯周ポケット洗浄端子。
【請求項８】
前記歯周ポケット洗浄端子は先端部が幅広に形成され、該先端部を隣接歯間部に適合させて歯周ポケット内に酸素を供給可能とされている、請求項６に記載の歯周ポケット洗浄端子。
【請求項９】
前記歯周ポケット洗浄端子はシリコンラバー製である、請求項６から８までのいずれか１項に記載の歯周ポケット洗浄端子。
【請求項１０】
多数の植毛を有するヘッド部と把柄部とを備える通常の歯ブラシ構造を改良した歯周ポケット洗浄端子であって、
前記ヘッド部は、その長手方向の中央線に沿って複数の中空植毛を有し、
前記把柄部は、酸素供給装置へ接続される接続端を有し、
前記ヘッド部と把柄部の内部に、前記接続端からの酸素を前記複数の中空植毛の先端へ導くための酸素通路が形成され、前記酸素供給装置からの酸素を歯周ポケット内に供給するための歯周ポケット洗浄端子。
【請求項１１】
前記酸素供給装置は酸素ボンベである請求項１から１０までのいずれか１項に記載の歯周ポケット洗浄端子又は歯周病治療装置。
【請求項１２】
前記酸素供給装置は空気ボンベである請求項１から１０までのいずれか１項に記載の歯周ポケット洗浄端子又は歯周病治療装置。
【請求項１３】
前記酸素供給装置は２０体積％以上の酸素を含有する気体ボンベである請求項１から１０までのいずれか１項に記載の歯周ポケット洗浄端子又は歯周病治療装置。
【発明の詳細な説明】
【技術分野】
【０００１】
本発明は、歯周ポケット洗浄端子及び歯周病治療装置に関する。
【背景技術】
【０００２】
歯周病は歯科においては、虫歯と並ぶ２大疾患であり、その病態は慢性的に経過し、出血、動揺、排膿、疼痛、口臭をともない、適切な治療が行われなければ歯周組織が破壊され、遂には歯が脱落してしまう重大な病気である。
【０００３】
従来の歯周ポケット内の殺菌法は、科学的薬剤、レーザー等による方法であるが、この殺菌法は、科学的なアレルギーを有する患者に対応できない場合がある。
基本的に、歯周病の原因は、歯周病原菌である複数の通性嫌気性細菌による混合感染によるとされている。したがって、歯周ポケット内を酸素環境にすることにより、これら通性嫌気性菌に壊滅的ダメージを与えることができる。
【０００４】
非特許文献１に記載されているように、歯周病の患者の歯周ポケット内に酸素を供給することにより歯周病が改善されたという研究論文は既に１９９４年に公表されている。
【非特許文献１】Journal of Clinical Periodontology Volume 21 Page 48 January 1994
【発明の開示】
【発明が解決しようとする課題】
【０００５】
歯科医である本発明者の知見によれば、上記の非特許文献１の存在にもかかわらず、現在まで通院により或いは家庭内で、歯周病の病巣である歯周ポケットに積極的に酸素を送る治療法は行われていない。
また、従来から歯科医院において行われる歯周ポケット洗浄は、洗浄用シリンジの先端の素材、形状により、患者に恐怖感を与える恐れがある。
【０００６】
本発明の主な目的は、従来の歯周病治療方法とは異なる、酸素を用いた治療を行うことができる歯周ポケット洗浄端子及び歯周病治療装置を提供することにある。
本発明の更なる目的は、家庭内でも簡単に酸素を用いた治療を行うことができる歯周ポケット洗浄端子及び歯周病治療装置を提供することにある。
【０００７】
本発明の更に他の目的は、科学的なアレルギーを有する患者にも問題なく対応可能な歯周ポケット洗浄端子及び歯周病治療装置を提供することにある。
本発明の更に他の目的は、患者に恐怖感を与えることのない歯周ポケット洗浄端子及び歯周病治療装置を提供することにある。
【課題を解決するための手段】
【０００８】
請求項１に記載の発明によれば、酸素供給装置と、前記酸素供給装置からの酸素を歯周ポケット内に供給するための歯周ポケット洗浄端子とを備える歯周病治療装置が提供される。
請求項２に記載の発明によれば、酸素供給装置からの酸素を歯周ポケット内に供給するための歯周ポケット洗浄端子が提供される。
【０００９】
請求項３に記載の発明によれば、
先端に酸素出口を有する２つの突起部を設けたヘッド部と、
把柄部と、
酸素供給装置へ接続される接続端を有する尾部と、
前記接続端からの酸素を前記２つの突起部の酸素出口へ導くための酸素通路と
を備える、前記酸素供給装置からの酸素を歯周ポケット内に供給するための歯周ポケット洗浄端子が提供される。
【００１０】
好ましくは前記２つの突起部はフレキシブルな素材から成り、且つ、先細り形状を有する。
また、好ましくは、前記２つの突起部間の距離は大臼歯近遠心的幅径に対応する。
【００１１】
請求項６に記載の発明によれば、内部が中空形状を成す円錐形の歯周ポケット洗浄端子であって、
先端部に開口部、末端部に酸素供給装置の酸素供給口の凸部と係合して該酸素供給口へ脱離不能に連結可能なアンダーカット部を備える、前記酸素供給装置からの酸素を歯周ポケット内に供給するための歯周ポケット洗浄端子が提供される。
請求項６に記載の歯周ポケット洗浄端子は、例えば、その先端部を細く形成し、該先端部を歯周ポケット内に挿入可能とすることができる。
或いは、請求項６に記載の歯周ポケット洗浄端子は、例えば、その先端部を幅広に形成し、該先端部を隣接歯間部に適合させて歯周ポケット内に酸素を供給可能とすることができる。
好ましくは、請求項６に記載の歯周ポケット洗浄端子はシリコンラバー製である。
【００１２】
請求項１０に記載の発明によれば、
多数の植毛を有するヘッド部と把柄部とを備える通常の歯ブラシ構造を改良した歯周ポケット洗浄端子であって、
前記ヘッド部は、その長手方向の中央線に沿って複数の中空植毛を有し、
前記把柄部は、酸素供給装置へ接続される接続端を有し、
前記ヘッド部と把柄部の内部に、前記接続端からの酸素を前記複数の中空植毛の先端へ導くための酸素通路が形成され、前記酸素供給装置からの酸素を歯周ポケット内に供給するための歯周ポケット洗浄端子が提供される。
【００１３】
請求項１から１０までのいずれか１項に記載の歯周ポケット洗浄端子又は歯周病治療装置において、前記酸素供給装置は、例えば酸素ボンベである。
請求項１から１０までのいずれか１項に記載の歯周ポケット洗浄端子又は歯周病治療装置において、前記酸素供給装置は、例えば空気ボンベである。
請求項１から１０までのいずれか１項に記載の歯周ポケット洗浄端子又は歯周病治療装置において、前記酸素供給装置は、例えば２０体積％以上の酸素を含有する気体ボンベである。
【発明の効果】
【００１４】
本発明者は本発明に関して秘密を保つ義務を有する少数の患者に対して本発明による歯周ポケット洗浄端子及び歯周病治療装置を用いて治験を行った結果、歯周病が極めて顕著に改善するという効果を確認した。
本発明は、上述のように歯周病菌が嫌気性細菌であるため酸素下では生存できないことに着目し、酸素を用いて洗浄を行うための端子及び装置であるため、本発明の歯周ポケット洗浄端子及び歯周病治療装置を用いれば、科学的なアレルギーを有する患者にも問題なく歯周ポケットを洗浄することができる。
【発明を実施するための最良の形態】
【００１５】
本発明の１実施形態は、酸素供給装置と、前記酸素供給装置からの酸素を歯周ポケット内に供給するための歯周ポケット洗浄端子を備える歯周病治療装置である。歯周ポケット洗浄端子は様々な構造が考えられるが、酸素供給装置からの酸素を歯周ポケット内に供給することが可能であればどのような構造であっても良い。
【００１６】
本発明の他の実施形態においては、酸素供給装置はその構成要素ではなく、前記酸素供給装置からの酸素を歯周ポケット内に供給するための歯周ポケット洗浄端子である。第１の実施形態と同様に歯周ポケット洗浄端子は、酸素供給装置からの酸素を歯周ポケット内に供給することが可能であればどのような構造であっても良い。
【実施例１】
【００１７】
図１〜図３は本発明の実施例１による歯周ポケット洗浄端子１を示している。この歯周ポケット洗浄端子１はヘッド部２と、把柄部４と尾部６とを備えている。ヘッド部２には、先端に酸素出口8、８を形成された２つの突起部１０、１０が設けられている。尾部６は図示しないチューブを介して酸素供給装置例えば酸素ボンベ１２へ接続される接続端１４を有する。
【００１８】
酸素供給装置として酸素ボンベ１２を例に挙げたが、これには限定されず、空気或いは２０体積％以上の酸素を含有する気体に適当な圧力を加えて供給可能な気体供給装置例えば空気ボンベ或いはコンプレッサー又は気体ボンベを用いても良い。酸素含有量が多い程洗浄効果が高まるものと考えられるが、酸素の危険性を考慮すれば空気ボンベ等を用いるのが好ましい可能性がある。
歯周ポケット洗浄端子１の内部には、接続端１４からの酸素を２つの突起部１０，１０の酸素出口８、８へ導くための酸素通路１６が形成されている。
【００１９】
２つの突起部１０，１０はフレキシブルな素材から成り、且つ、図示のような先細り形状を有する。また、これら２つの突起部１０，１０間の距離は大臼歯近遠心的幅径に対応するように配置することが好ましい。すなわち、ほぼ大臼歯近遠心的幅径と同じ距離に配置することが好ましい。これは、大臼歯が歯周病になりやすい上、重度の歯周病に陥ると、解剖学的理由により完治は殆ど望めないのが現状であることを理由とする。
【００２０】
図４は歯周ポケット洗浄端子１からの酸素を大臼歯１８の歯周ポケット２０内に供給する様子を示した説明図である。本実施例の歯周ポケット洗浄端子１の場合、２つの突起部１０，１０を歯周ポケット２０内へ深く挿入可能であるため、著しい治療効果を得ることができる。
【００２１】
なお、２つの突起部１０，１０はフレキシブルな素材から成るので、大臼歯１８のみならず他の全ての歯の歯周ポケット内の洗浄を行うことができ、また、２つの突起部１０，１０間の距離は、大臼歯近遠心的幅径に限定されず、本実施例の歯周ポケット洗浄端子１の使用に支障がなければいかなる大きさであってもよい。
更に、２つの突起部１０，１０はフレキシブルな素材から成ることにより、患者に恐怖感を与えることがない。
【実施例２】
【００２２】
図５及び図６は本発明の実施例２による歯周ポケット洗浄端子３０を示している。この歯周ポケット洗浄端子３０は、その内部が中空形状を成すほぼ円錐形を呈するもので、その先端部に開口部３２、末端部にアンダーカット部３４を備える。この歯周ポケット洗浄端子３０は例えばシリコンラバー製とすることができるが、本発明の目的に沿うことが可能であればどのような素材であっても良い。
【００２３】
図７は実施例２による歯周ポケット洗浄端子３０と組み合わせて用いる酸素供給装置（図示せず）の酸素供給口（本実施例の場合は金属製のシリンジ）３６を示す。歯周ポケット洗浄端子３０を使用する際は、その末端部のアンダーカット部３４を、この酸素供給口３６の先端の凸部３８に係合させることにより、歯周ポケット洗浄端子３０を該酸素供給口３６へ脱離不能に連結可能とする。
【００２４】
本発明の実施例２による歯周ポケット洗浄端子３０は上記のような構成を有するので、その先端部を歯周ポケット内に挿入し、酸素供給装置からの酸素を歯周ポケット内に供給することができる。
実施例１による歯周ポケット洗浄端子１の場合と同様に、酸素供給装置としては、酸素ボンベには限定されず、空気或いは２０体積％以上の酸素を含有する気体に適当な圧力を加えて供給可能な気体供給装置例えば空気ボンベ或いはコンプレッサー又は気体ボンベを用いても良い。
【００２５】
図８及び図９は本発明の実施例２による歯周ポケット洗浄端子の変形例を示している。図８に示す歯周ポケット洗浄端子４０は、その本体部分が図から明らかなように図６に示した歯周ポケット洗浄端子３０の本体部分よりもテーパーの角度が大きい、すなわち先端部がより細くなるように形成されている。図９に示す歯周ポケット洗浄端子４２は、その本体部分のテーパーの角度がさらに大きくなるように形成されている。
【００２６】
図１０及び図１１は本発明の実施例３による歯周ポケット洗浄端子４４を示している。この歯周ポケット洗浄端子４４は、その本体部分が図から明らかなように図６に示した歯周ポケット洗浄端子３０の本体部分とは逆に、先端部（図１０，１１の左方）が幅広になるように形成されている。より詳細に説明すると、この歯周ポケット洗浄端子４４は、その内部が中空形状を成すほぼ円錐形を呈するもので、その先端部に開口部４６を備え、末端部に図６の実施例２と同様にアンダーカット部（図示せず）を備える。この歯周ポケット洗浄端子４４は、図７に示す酸素供給口（例えば金属製のシリンジ）３６と組み合わせて使用する。図６の実施例と同様に、歯周ポケット洗浄端子４４を使用する際は、その末端部のアンダーカット部を、この酸素供給口３６の先端の凸部３８に係合させることにより、歯周ポケット洗浄端子４４を該酸素供給口３６へ脱離不能に連結可能する。
【００２７】
この歯周ポケット洗浄端子４４は例えばシリコンラバー製とすることができるが、本発明の目的に沿うことが可能であればどのような素材であっても良い。
図１２は歯周ポケット洗浄端子４４からの酸素を大臼歯１８の歯周ポケット内に供給する様子を示した説明図である。本実施例３の歯周ポケット洗浄端子４４を用いて歯周ポケットを洗浄する際には、その幅広に形成された先端部を隣接歯間部に適合させることにより、開口部４６からの酸素を歯周ポケット内に供給する。本実施例の場合、先端部の開口部４６が広いため、隣接歯間部に容易に適合可能であり、不器用な患者に好適である。
実施例１、２による歯周ポケット洗浄端子１、３０の場合と同様に、酸素供給装置としては、酸素ボンベには限定されず、空気或いは２０体積％以上の酸素を含有する気体に適当な圧力を加えて供給可能な気体供給装置例えば空気ボンベ或いはコンプレッサー又は気体ボンベを用いても良い。
【実施例３】
【００２８】
図１０〜図１３は本発明の実施例４による歯周ポケット洗浄端子５０を示している。この歯周ポケット洗浄端子５０は、多数の植毛５２を有するヘッド部５４と把柄部５６とを備える通常の歯ブラシ構造を改良したものである。
【００２９】
ヘッド部５４は、その長手方向の中央線５８に沿って複数の、図示した例では５本の中空植毛６０を有する。この中空植毛６０の素材はフレキシブルなものを用い、例えばナイロン製とすることができる。
把柄部５６は、図示しない酸素供給装置へ接続される接続端６２を有する。
【００３０】
ヘッド部５４と把柄部５６の内部には、接続端６２からの酸素を複数の中空植毛６０の先端へ導くための酸素通路６４が形成され、酸素供給装置からの酸素を歯周ポケット内に供給することできるような構造にされている。
【００３１】
実施例４による歯周ポケット洗浄端子５０は上記のような構成を有するので、複数の中空植毛６０の先端部を歯周ポケット内に挿入し、酸素供給装置からの酸素を歯周ポケット内に供給することができる。本実施例は通常の歯ブラシと同様の感覚で使用することができる。
【００３２】
実施例１〜実施例３による歯周ポケット洗浄端子１，３０，４０，４１，４４の場合と同様に、酸素供給装置としては、酸素ボンベには限定されず、空気或いは２０体積％以上の酸素を含有する気体に適当な圧力を加えて供給可能な気体供給装置例えば空気ボンベ或いはコンプレッサー又は気体ボンベを用いても良い。
更に、複数の中空植毛６０はフレキシブルな素材から成ることにより、患者に恐怖感を与えることがない。
【図面の簡単な説明】
【００３３】
【図１】本発明の実施例１の歯周ポケット洗浄端子及び酸素供給装置を示す斜視図である。
【図２】本発明の実施例１の歯周ポケット洗浄端子の断面図である。
【図３】本発明の実施例１の歯周ポケット洗浄端子の平面図である。
【図４】本発明の実施例１の歯周ポケット洗浄端子を用いて歯周ポケットを洗浄する方法を説明するための説明図である。
【図５】本発明の実施例２の歯周ポケット洗浄端子を示す斜視図である。
【図６】本発明の実施例２の歯周ポケット洗浄端子の断面図である。
【図７】本発明の実施例２の歯周ポケット洗浄端子に接続される酸素供給装置の酸素供給口を示す側面図である。
【図８】本発明の実施例２の歯周ポケット洗浄端子の変形例を示す斜視図である。
【図９】本発明の実施例２の歯周ポケット洗浄端子の他の変形例を示す斜視図である。
【図１０】本発明の実施例３による歯周ポケット洗浄端子を示す斜視図である。
【図１１】本発明の実施例３による歯周ポケット洗浄端子を示す斜視図である。
【図１２】本発明の実施例３による歯周ポケット洗浄端子を用いて歯周ポケットを洗浄する方法を説明するための説明図である。
【図１３】本発明の実施例４の歯周ポケット洗浄端子を示す斜視図である。
【図１４】本発明の実施例４の歯周ポケット洗浄端子の断面図である。
【図１５】本発明の実施例４の歯周ポケット洗浄端子のヘッド部の平面図である。
【図１６】本発明の実施例４の歯周ポケット洗浄端子のヘッド部を、図１２の中央線５８に沿って切断して示した斜視図である。
【符号の説明】
【００３４】
１  歯周ポケット洗浄端子
２  ヘッド部
４  把柄部
６  尾部
８  酸素出口
１０  突起部
１２  酸素供給装置（酸素ボンベ）
１４  接続端
１６  酸素通路
１８  大臼歯
２０  歯周ポケット
３０  歯周ポケット洗浄端子
３２  開口部
３４  アンダーカット部
３６  酸素供給口（シリンジ）
３８  酸素供給口の先端の凸部
４０  歯周ポケット洗浄端子
４２  歯周ポケット洗浄端子
４４  歯周ポケット洗浄端子
４６  開口部
５０  歯周ポケット洗浄端子
５２  多数の植毛
５４  ヘッド部
５６  把柄部
５８  ヘッド部の長手方向の中央線
６０  中空植毛
６２  接続端
６４  酸素通路
【図１】
2007319530.tif 000003
【図２】
2007319530.tif 000004
【図３】
2007319530.tif 000005
【図４】
2007319530.tif 000006
【図５】
2007319530.tif 000007
【図６】
2007319530.tif 000008
【図７】
2007319530.tif 000009
【図８】
2007319530.tif 000010
【図９】
2007319530.tif 000011
【図１０】
2007319530.tif 000012
【図１１】
2007319530.tif 000013
【図１２】
2007319530.tif 000014
【図１３】
2007319530.tif 000015
【図１４】
2007319530.tif 000016
【図１５】
2007319530.tif 000017
【図１６】
2007319530.tif 000018